(57)【要約】   【課題】  クラゲ等の非漁獲対象は効率的に排除するとともにシラスやイカナゴ等の漁獲対象の漁獲漏れを防止せしめることができる船びき網を提供する。  【解決手段】  本発明の船びき網１００は、袖網部分１１０と魚取り袋部分１４０と、両者の間の胴網部分１２０と、胴網部分１２０の内部に内袋体としてクラゲ抜き用排出部１３０を備えた構造となっている。クラゲ抜き用排出部１３０の排出部出口１３３は胴網部分１２０の側面に設けられている。排出部１３０の形状が、排出部１３０の入口１３１の開口円周を第１の円弧１３１１と第２の円弧１３１２に分けた場合に、第１の円弧１３１１から出発した網が排出部１３０の出口開口縁の先端付近１３３１に集中するように形成されており、第２の円弧１３１２から出発した網が排出部１３０の出口の先端付近以外の開口縁全体１３３２に向けて形成されている形状である。【選択図】  図３
2014079200.tif 000002
【特許請求の範囲】
【請求項１】
海中又は海底に棲息する海洋動物を漁獲するための船びき網であって、
袖網部分と魚取り袋部分との間に設けられ、網目の大きさが漁獲対象となる前記海洋動物よりも細かい網目である胴網部分において、
前記袖網との連結部となる胴部入口部と、前記魚取り袋部分との連結部となる胴部出口部と、前記胴部入口部と前記胴部出口部との間の胴部網体と、
前記胴部出口部の前方に内袋体として形成され、漁獲対象動物は通過させかつ大きな非漁獲対象動物および不要物は補足して前記胴部網体の側面の排出出口から排出する排出部を備え、
前記排出部の形状が、前記排出部の入口の開口円周を前記排出部の出口に近い側の第１の円弧とそれ以外の第２の円弧に分けた場合に、前記第１の円弧から出発した網が前記排出部の出口開口縁の先端付近に集中するように形成されており、前記第２の円弧から出発した網が前記排出部の出口の前記先端付近以外の開口縁全体に向けて形成されている形状であることを特徴とする船びき網。
【請求項２】
前記第１の円弧の長さが前記排出部の入口の開口円周全体の略１／４の長さであり、前記排出部の出口開口縁の前記先端付近の長さが前記排出部の出口の開口円周全体の１／１０以下であることを特徴とする請求項１に記載の船びき網。
【請求項３】
前記排出部の出口において、その開口径を自在に調整できる開閉構造を備え、漁場の状況に応じて前記開閉構造により前記排出部の出口の開閉径の調整を可能とした請求項１または２に記載の船びき網。
【請求項４】
前記排出部の網体の腹の一部において、その最大径が前記排出部の出口の径よりも大きい開閉部と、前記開閉部の開口径を自在に調整できる第２の開閉構造を備え、前記排出部の出口からは排出できない大きさの非漁獲対象動物および不要物が入り込んだ場合に前記胴部の前記胴部出口部まで導くことができる請求項１乃至３のいずれかに記載の船びき網。
【請求項５】
前記排出部の出口と前記排出部の前記開閉部が連続して設けられており、前記排出部の前記開閉構造と、前記開閉部の第２の開閉構造ともに開放状態とすると、両者一体の大径の開口とすることができる請求項４に記載の船びき網。
【請求項６】
前記胴部の側面の一部において網目が他の部分の網目よりも粗い網目となっている潮抜き部を設け、船びきの際に、前記胴網部分に生じる抵抗を小さくする構成としたことを特徴とする請求項１乃至５のいずれかに記載の船びき網。
【請求項７】
前記魚取り袋部分内に内袋を設けて二重構造とした魚種選別部を設け、前記魚種選別部の網目を通過しない魚種は前記魚種選別部に溜まり、前記魚種選別部の網目を通過する魚種は前記魚種選別部の後方の前記魚取り袋部分に溜まる構造としたことを特徴とする請求項１乃至６のいずれかに記載の船びき網。
【請求項８】
前記漁獲対象となる前記海洋動物がシラスを含む魚種である請求項１乃至７のいずれかに記載の船びき網。
【請求項９】
前記漁獲対象となる前記海洋動物がイカナゴを含む魚種である請求項１乃至７のいずれかに記載の船びき網。
【発明の詳細な説明】
【技術分野】
【０００１】
本発明は、船びき網に関し、特にシラス、イカナゴなどの小型魚種の海洋動物を効率的に漁獲することができる船びき網の改良に関する。
【背景技術】
【０００２】
シラスやイカナゴなどの小型魚種の海洋動物を効率的に漁獲する漁法として船びき網漁業が知られている。
船曳網漁業は、網船と呼ばれる２隻の漁船が対になって１つの網を引き、運搬船と呼ばれる１隻の漁船が魚群を探して網船を誘導するとともに漁獲物を取り上げて港まで運搬する。このように３隻の漁船で操業する。
【０００３】
運搬船は魚群探知機の反応状況から網船の誘導とともにシラスやイカナゴが網に溜まっている具合を判断し、網の交換時期を決定する。
シラスやイカナゴはその日の天候や海域の複雑な潮流によって回遊場所や回遊水深が異なるので、運搬船船長の経験とカンに基づいた網船の誘導がその日の漁獲量を左右するカギを握っていると言われている。なお、シラスやイカナゴは上層近くにいることが多いため、魚網を引く水深を浅く調整すると漁獲が増える。
大阪湾や播磨灘における船びき網漁業は，４月中旬まで“イカナゴ”漁が操業され、４月中旬〜６月上旬、９月下旬〜１２月上旬まで“シラス”漁が行われる。
【０００４】
船びき網は、袖網、袋網（胴網、魚取り）、曳綱で構成される。袖網は、袋網の口から左右両側に袖状に取り付けられ、魚群を中央に寄せ袋網に追い込む役割を担っている。袖網の上縁には浮子綱と浮子が、下縁には沈子が取り付けられ、網口が上下に開くよう工夫されている。袋網の網目の大きさは奥部ほど細かくなっており、一例としては、最細の網目は２ｍｍ程度のもじ網となっており、袋網の長さは約８０ｍに及ぶ。袋網の末端から約２０ｍを魚取りと呼び、チャックで脱着できるものとなっている。袖網には浮子がロープを通じて連結されており、当該ロープの伸縮や曳綱の長さを変えることにより、袖網水深を調節することができる。両船は全速で曳綱を張りながら展開し、漁具が所定の水深に沈むのを確認の後曳網を開始する。
【０００５】
図８は船びき網漁法の操船の例を簡単に示している。曳網中の２隻の間隔は約５０ｍ、曳網時間は魚群の状況にもよるが、概ね４５分から１時間半程度で、曳網速度は約２ノットで操船する。
入網したシラスやイカナゴの回収は、網全体を巻き取らずに袋網のみを運搬船のウインチで吊り上げ、魚取り部のチャックを開いて回収する。漁獲物回収後、袋網を再度投入し、曳網を継続する。
【０００６】
シラス漁やイカナゴ漁は対象魚種が小さいため魚網の網目が他の漁よりも細かく、その船びき操船には魚網に対して海水の大きな抵抗が発生し、船びきの速度が上がりにくいが、やはり、速い速度で操船することは経済性、他の漁船との競争の上では極めて重要であり如何に速い速度で船びきできるかにより漁獲が変動する。
なお、シラスとイカナゴにおいて網目の大きさと長さの違いはあるものの魚網の構成、袖網の浮子などは同じである。シラス漁の仕掛けの方が魚網全体が長く、その長さは５００メートルに達する場合もある。
【０００７】
【非特許文献１】神戸地方海難審判庁『近畿の漁法と安全運航』
【発明の開示】
【発明が解決しようとする課題】
【０００８】
しかし、上記従来技術の魚網における問題として、クラゲや海洋ゴミなど非漁獲対象のものの混入を如何に排除するかという問題がある。クラゲや海洋ゴミなどが船びき網に混入すると、網に入ったシラスやイカナゴ等の漁獲対象が網に対して怖じらなくなってしまう上、網が重くなり船びきの速度が遅くなってしまう。特に近年、クラゲなどが大量発生することが多くなり、如何に非漁獲対象を排除しつつ、漁獲対象を効率的に漁獲するかが問われている。
【０００９】
ここで、従来技術において、いわゆる『クラゲ抜き』とも呼ばれる排出部の仕掛けが用いられている。図１１は従来技術における排出部が設けられた船びき網の構成例を示す図である。排出部の構造が分かりやすいように、横断面および縦断面で示している。
従来の『クラゲ抜き』用排出部の網目の大きさとしては、漁獲対象は通過できるが非漁獲対象が通過できないものになっている。
【００１０】
従来の『クラゲ抜き』用排出部の形状としては、図１１に示すように、まず、漁獲対象と非漁獲対象を分離するためにすり鉢状に絞る形状になっている。すり鉢状に絞ることにより、漁獲対象がまっすぐ直進し、網を通り抜けて次段の魚取部に進む一方、非漁獲対象が中央に集められることにより、漁獲対象と非漁獲対象を分離するものである。従来の『クラゲ抜き』用排出部の形状は、すり鉢状に絞られたあと、胴網の側面に向けて導かれ、胴網の側面には『クラゲ抜き』用排出部の出口が設けられて開放されている。非漁獲対象動物や不要物はこの開放された出口から胴網の側面外に排出されるようになっている。船びき網は操船を始めると操業時間中は連続してひき続けるため、このように『クラゲ抜き』用排出部の開放出口を胴網の側面に設けておけば、操船に船びき網が前進するに伴って排出部の入口から入った非漁獲対象や不要物が排出部の中を通り、胴網の側面に設けられた排出部の開放出口から次々と放出される。
しかし、発明者宇津修二は長年にわたり魚網の製作を行う中、従来の『クラゲ抜き』用排出部の形状には漁獲対象の漁獲漏れがあり、改善の余地があることに気付いた。
【００１１】
第１は、従来の『クラゲ抜き』用排出部の形状に基づく漁獲漏れが発生してしまう問題である。漁獲対象と非漁獲対象とを分離するために単純にすり鉢状に絞り、漁獲対象は真っ直ぐに通過させ、非漁獲対象のみを中央方向に集めて分離していたが、実際には単純にすり鉢状に絞っただけでは、クラゲ等の浮遊動物の非漁獲対象が多い場合には、クラゲ抜きの中でもたれて溜まることにより変形が生じてしまい、魚網中の水流が乱されて袋本など魚網の一部が折れ曲がるなどして、漁獲対象と非漁獲対象の分離が十分ではない場合も生じているようである。おそらく、シラスやイカナゴなどの漁獲対象もクラゲ等の非漁獲対象の移動により生じる流れに追従して排出部の中を通り、胴部の側面の排出部の出口から抜け出てしまうことが原因と考えられる。
【００１２】
第２は、従来の『クラゲ抜き』用排出部の開放出口から必要以上に漁獲漏れが発生してしまう問題である。クラゲなどの浮遊動物は漁獲には大きな影響を与えるため、クラゲなどの浮遊動物の対策は欠かせない仕掛けである。しかし、漁場の位置、時間、季節、潮の流れなど多様な要素により、漁場におけるクラゲなどの浮遊動物の浮遊量は大きく変動する。そのため、操船中に漁場にクラゲなどの浮遊動物の浮遊量が少ないことも多い。しかし、従来の『クラゲ抜き』用排出部であれば出口が開放されているために、クラゲ等の浮遊動物がいない中、漁獲対象であるシラスやイカナゴなどが抜け出てしまう穴となってしまうこともある。
【００１３】
発明者宇津修二は長年にわたり魚網の製作を行う中、『クラゲ抜き』用排出部の形状や機能に工夫を行い、漁獲対象の漁獲漏れが少ない良好な船びき網を案出するに至った。
【００１４】
上記問題点に鑑み、本発明は、『クラゲ抜き』用排出部の形状や出口の構造を改善し、クラゲ等の非漁獲対象は効率的に排除するとともにシラスやイカナゴ等の漁獲対象の漁獲漏れを防止せしめることができる船びき網を提供することを目的とする。
【課題を解決するための手段】
【００１５】
上記目的を達成するため、本発明の船びき網は、袖網部分と魚取り袋部分との間に設けられ、網目の大きさが漁獲対象となる前記海洋動物よりも細かい網目である胴網部分において、前記袖網との連結部となる胴部入口部と、前記魚取り袋部分との連結部となる胴部出口部と、前記胴部入口部と前記胴部出口部との間の胴部網体と、前記胴部出口部の前方に内袋体として形成され、漁獲対象動物は通過させかつ大きな非漁獲対象動物および不要物は補足して前記胴部網体の側面の排出出口から排出する排出部を備え、前記排出部の形状が、前記排出部の入口の開口円周を前記排出部の出口に近い側の第１の円弧とそれ以外の第２の円弧に分けた場合に、前記第１の円弧から出発した網が前記排出部の出口開口縁の先端付近に集中するように形成されており、前記第２の円弧から出発した網が前記排出部の出口の前記先端付近以外の開口縁全体に向けて形成されている形状であることを特徴とするものである。
【００１６】
上記構成の一例としては、前記第１の円弧の長さが前記排出部の入口の開口円周全体の略１／５から略１／３程度の長さ、例えば、略１／４の長さであり、前記排出部の出口開口縁の先端付近の長さが前記排出部の出口の開口円周全体の１／１０以下に調整する。このような比率にすることにより、排出部の形状は、出口が設けられた側の面は略真っ直ぐに出口に向かい、出口とは反対側の面は滑らかな曲面を描きつつ出口の開口縁につながっている状態となり、漁獲対象と非漁獲対象の選別の効率が向上する。
【００１７】
ここで、従来のすり鉢状の形状よりも上記本発明の形状の方が漁獲対象と非漁獲対象の選別の効率が向上する理由は以下のように説明できる。
従来のすり鉢状の形状の場合、すり鉢部分において全体的に一定角度で狭まってゆくが、すり鉢の角度はあまり急峻にはできない。なぜならば急峻な角度を付けてしまうと水流の抵抗が大きくなりすぎ魚網全体が重くなってしまうからである。そこで、ある程度緩やかな角度にならざるを得ないところ、網目が水流に対して緩やかな角度になっているとシラスやイカナゴの漁獲対象にとって、かえって網目をくぐりにくくなり、排出部の網体に沿って斜めに泳いでしまう傾向が出てくる。そのためにすり鉢の最狭部までシラスやイカナゴの漁獲対象とクラゲ等の非漁獲対象との分離がうまく行かずに混在する状態が続いてしまう。次に、すり鉢の最狭部から排出部の出口までの通り道についても折れ曲がるような急峻な角度にはできない。なぜならば急峻な角度を付けてしまうと水流の抵抗が大きくなりすぎ魚網全体が重くなってしまうからである。そのためすり鉢の最狭部から排出部の出口までの通り道についてもある程度緩やかな角度にならざるを得ない。そうなると、やはりシラスやイカナゴの漁獲対象にとって、かえって網目をくぐりにくくなり、クラゲ等の非漁獲対象との分離がうまく行かずに混在したまま出口から排出されてしまう量が多くなってしまう。
【００１８】
一方、本発明の船びき網の場合、排出部の形状は、出口が設けられた側の面は略真っ直ぐに出口に向かい、出口とは反対側の面は滑らかな曲面を描きつつ出口の開口縁につながっており、いわゆる牛の短角のような形状をしている。このような形状であれば、カーブしている排出部の側面は、一定角度に傾いているのではなく、角度が変化しつつ出口に向かうため、カーブしている排出部の側面全体のいずれの箇所においても漁獲対象と非漁獲対象の選別が行われ、選別の効率が向上する。また、網体が折れ曲がるように急峻に水流に当たる部分は存在せず、水流の抵抗は大きくはならない。
上記に示したように、従来のすり鉢状の形状よりも上記本発明の形状の方が漁獲対象と非漁獲対象の選別の効率が向上する。
【００１９】
次に、漁場においてクラゲ等の非漁獲対象があまり存在しない状況における漁獲漏れ防止の工夫として、排出部の出口において、その開口径を自在に調整できる開閉構造を備えた構造とし、漁場の状況に応じて開閉構造により排出部の出口の開閉の調整を可能とした。例えば、チャック構造とすれば、外部からも簡単に開閉操作ができ、漁場においてクラゲ等の非漁獲対象があまり存在しない状況の場合には排出部の出口を閉じて漁獲漏れを防止することができる。
【００２０】
なお、海洋ゴミなどの不要物が想定以上に大きい場合、側面から排出することが難しい場合もあり得る。そこで、排出部の網体の腹の一部において、その最大径が排出部の出口の径よりも大きい開閉部を設け、かつその開閉部の開口径を自在に調整できる第２の開閉構造を備えた構造とすることが好ましい。
さらに、前記排出部の出口と前記排出部の前記開閉部が連続して設けた構成とし、前記排出部の前記開閉構造と、前記開閉部の第２の開閉構造ともに開放状態とすると、両者一体の大径の開口とすることができる構造とすることも可能である。
上記構成により、排出部の出口からは排出できない大きさの非漁獲対象動物および不要物が入り込んだ場合でも、側面からは排出せずに胴部の胴部出口部まで導いて魚取部を取り外すことにより取り去ることができる。
【００２１】
他の工夫としては、胴部の側面の一部において網目が他の部分の網目よりも粗い網目となっている潮抜き部を設け、船びきの際に、胴網部分に生じる抵抗を小さくする構成とすることが好ましい。船びき網の水中での抵抗が小さくなり、船びきの速度を向上させることができる。
【００２２】
本発明の船びき網における漁獲対象となる海洋動物は、シラスやイカナゴとすることができる。
また、本発明の魚網は、シラスやイカナゴという漁獲対象魚種とは異なるものの、シャコなど経済性のある海洋生物についてはクラゲなどのように放逐せずに魚取り部の中で大きさ別に選別できれば便利である。そこで、上記構成において、魚取り袋部分内に内袋を設けて二重構造とした魚種選別部を設け、魚種選別部の網目を通過しない魚種は魚種選別部に溜まり、魚種選別部の網目を通過する魚種は魚種選別部の後方の前記魚取り袋部分に溜まる構造とすることが好ましい。
【発明の効果】
【００２３】
本発明にかかる船びき網によれば、簡単な構造により、クラゲ等の非漁獲対象は効率的に排除するとともにシラスやイカナゴ等の漁獲対象の漁獲漏れを防止せしめることができる。また、排出部の出口において、その開口径を自在に調整できる開閉構造を備えた構造とすれば、漁場においてクラゲ等の非漁獲対象があまり存在しない状況の場合には排出部の出口を閉じて漁獲漏れを防止することができる。
【発明を実施するための最良の形態】
【００２４】
以下、本発明の船びき網の実施例を説明する。なお、本発明はこれらの実施例に限定されるものではない。
【実施例１】
【００２５】
以下、本発明に係る船びき網の構成例を、図面を参照しながら説明する。
特にことわりがない限り、シラス漁やイカナゴ漁向けの魚網として説明する。
図１および図２は、実施例１にかかる本発明の船びき網を示す図である。
図１は平面図、図２は右側面図である。
【００２６】
図１および図２に示すように、本発明の船びき網１００は、袖網部分１１０、胴網部分１２０、クラゲ抜き用排出部１３０、魚取り袋部分１４０を備えた構成となっている。曳網は図示を省略している。
【００２７】
袖網部分１１０は、漁船に引かれる曳網につながる網である。本来は、漁獲対象となるシラスよりも細かい網目とすることは好ましいが、袖網１１０以降全体の網目をすべて細かくするとあまりに抵抗が大きく重くなってしまい操船が不能となる場合もあるため、袖網１１０の網目は大きくして抵抗を小さくすることにより、操船スピードを上げることが好ましい。
【００２８】
胴網部分１２０は、袖網部分１１０と魚取り袋部分１４０との間に設けられた網部分であり、網目の大きさが漁獲対象となるシラスやイカナゴよりも細かい網目である。胴網部分１２０は、胴部入口部１２１、前部１２２、中部１２３、後部１２４、側面潮抜き部１２５、中吊り１２７、胴部出口部１２９の各部分から構成されている。
【００２９】
胴部入口部１２１は、袖網１１０との連結部となる入口である。
【００３０】
前部１２２、中部１２３は、後部１２４は、胴部１２０を形成する網体であり、その区別は便宜上のものである。
なお、船びき網１００全体の抵抗を小さく抑えるため、前部１２２の網目の大きさを比較的大きくして抵抗を抑え、中部１２３から後部１２４にかけて細かくすることも可能である。
【００３１】
側面潮抜き部１２５は、胴部１２０の側面の一部において網目が他の部分の網目よりも粗い網目となっている部分であり、船びきの際に、胴網部分１２０に生じる抵抗を小さくするものである。この構成例では中部１２３の側面部分に設けられている。
【００３２】
中吊り１２７は、運搬船が適宜、魚取り部１４０に溜まったシラスを回収するために海中に没している魚取り部１４０を運搬船上に引き上げるための構造物であり、運搬船上からフックなどで引っかける治具などが取り付けられている。
【００３３】
胴部出口部１２９は、後述する魚取り袋部分１４０との連結部となる出口である。後述するようにクラゲ抜き用排出部１３０の後方に位置しており、クラゲ抜き用排出部１３０によってシラスやイカナゴなどの漁獲対象と、クラゲ等の非漁獲対象が分離され、シラスやイカナゴなどの漁獲対象がこの胴部出口部１２９を通過して魚取り袋部分１４０に受け入れられてゆく。
【００３４】
クラゲ抜き用排出部１３０は、胴網部分１２０の後段部分で胴部出口部１２９の前に設けられたものであり、胴網部分１２０内に内袋を設けて二重構造とした排出部分である。この構成例では胴網部分１２０の後部１２４の一部に設けられている。
クラゲ抜き用排出部１３０の網目は胴網部分１２０の網目よりも大きく、かつ漁獲対象となるシラスやイカナゴよりも大きな網目となっており、漁獲対象動物は通過させかつ大きな非漁獲対象動物および不要物は補足して胴部１２０の側面から排出する仕掛けである。
【００３５】
クラゲ抜き用排出部１３０は、排出部入口開口１３１、排出部胴部１３２、排出部出口開口１３３を備えている。
【００３６】
クラゲ抜き用排出部１３０の形状や働きについては詳しく後述することとし、図１および図２の説明を続ける。
【００３７】
魚取り部１４０は、船びき網１００により捕獲した海洋動物を捉えて蓄積する部分である。この構成例では、シャコ取り１４１、魚取り１４２、魚巻き１４３を備えた構成となっている。魚取り部１４０全体はチャックなどで分離できる構造となっており、運搬船が中吊り１２７をフックなどで引っかけて引き上げ、魚取り１４０のチャックを外して魚取り部１４０のみを引き揚げて回収することができる仕組みとなっている。
【００３８】
シャコ取り１４１は、魚取り部１４０の袋部分内に内袋を設けて二重構造とした魚種選別部であり、この網目を通過しない魚種はここに溜まり、この網目を通過する魚種は魚取りの袋部分に溜まる構造としたものである。この構成例では網目の大きさをシラスは通過するがシャコは通過しない大きさとすれば良い。なお、シャコよりも大きなクラゲや海洋不要物などの浮遊物はクラゲ抜きを通過できず、クラゲ抜き出口１２８より排出されており、シャコ抜き１４１には概ねシャコやシラスよりも少し大きな小魚などが溜まることとなる。
【００３９】
魚取り１４２は、シャコ取り１４１の後段にあり、シャコ取り１４１を通過した魚種が最終的に溜まる部分であり、この構成例では捕獲対象魚種であるシラスが溜まることとなる。
【００４０】
魚巻き１４３は魚取り１４２の最後段を締めている部分である。魚巻き１４３が開閉可能な構造であれば、運搬船上で魚巻き１４３を開放してシラスを取り出すことができる。
【００４１】
次に、クラゲ抜き用排出部１３０の形状や働きについては詳しく説明する。
図３はクラゲ抜き用排出部１３０の構造を拡大して詳しく示した図であり、平面図となっている。
【００４２】
排出部入口開口１３１は、排出部１３０の入口部分であり、胴部１２０の内周に沿って設けられており、胴網１２０内部を通過する海水はすべて一旦この排出部入口開口１３１から排出部１３０に受け入れられることとなる。
【００４３】
排出部胴部１３２は、排出部入口開口１３１と排出部出口開口１３３との間に設けられた網体であり、後述するように、この排出部胴部１３２の網目により、シラスやイカナゴ等の漁獲対象動物を通過させ、クラゲなどの非漁獲対象や海洋ゴミなど不要物を捕捉して分離する部分である。後述するように、この分離は排出部胴部１３２の全面にわたって行うことができるものとなっている。
【００４４】
排出部出口開口１３３は、胴網部分１２０の外へ導くように側面に取り付けられており、漁獲対象となるシラスやイカナゴは排出部胴部１３２の網目を通過して後述する魚取り部１４０に入ってゆくが、クラゲなどの非漁獲対象や海洋ゴミなど不要物はこの排出部出口開口１３３から胴網部分１２０の外へ導かれて排出される構造となっている。開口の径は例えば、２ｍ位で良い。
【００４５】
ここで、排出部１３０の形状について説明する。左右非対称の形となっており、この構成例では排出部１３０の左側が略真っ直ぐに設けられ、排出部１３０の右側が滑らかに大きく曲がった曲面となっており、いわゆる牛の短角のような形状となっている。
【００４６】
排出部１３０の形状は、排出部１３０の入口の開口円周を排出部１３０の出口に近い側の第１の円弧とそれ以外の第２の円弧に分けた場合に、前記第１の円弧から出発した網が前記排出部の出口開口縁の先端付近に集中するように形成されており、前記第２の円弧から出発した網が前記排出部の出口の前記先端付近以外の開口縁全体に向けて形成されている形状である。
【００４７】
図４は、排出部１３０の形状をさらに詳しく示した図である。
図４に示すように、排出部入口開口１３１の円周を出口開口部１３３に近い側の第１の円弧１３１１とそれ以外の第２の円弧１３１２に分けた場合に、第１の円弧１３１１から出発した網が排出部出口１３３の開口縁の先端付近１３３１に集中するように形成されており、第２の円弧１３１２から出発した網が排出部出口１３３の先端付近１３３１以外の開口縁全体１３３２に向けて形成されている形状である。
【００４８】
この構成例では、第１の円弧１３１１の長さは、排出部の入口の開口円周全体の略１／４の長さである。また、排出部の出口１３３の開口縁の先端付近１３３１の長さが排出部の出口１３３の開口円周全体の１／１０の長さ、例えば、１０ｃｍ程度で点状に集中した例となっている。
【００４９】
図５は、図４に示した立体的な排出部１３０の形状をさらに分かりやすく平面に展開した展開図を示す図である。排出部１３０を製造する際にこのような網片を用意してそれらを縫い合わせて製造すれば良いこととなる。
【００５０】
図５に示すように、網片１３０（１）〜１３０（１２）の１２片がある。各々の網片において基本的な幅はＷとなっており、基本的な長さはＬとなっている。各々の網片１３０（１）〜１３０（１２）の上端が排出部の入口開口１３１を形成し、下端が排出部の出口開口１３３を形成している。
【００５１】
網片１３０（１）〜１３０（１２）のうち、網片１３０（１）、１３０（２）、１３０（３）の３片の上端により、排出部の入口開口１３１の第１の円弧１３１１が形成されている。つまり第１の円弧１３１１の長さは３Ｗとなっている。
【００５２】
この網片１３０（１）、１３０（２）、１３０（３）は、上端から下端にかけて三角形に切られており、下端の長さは略点状に集中している。この略点状に集中した下端は、排出部の出口１３３の開口縁の先端付近１３３１を形成している。つまり、この長さは略点状であるためゼロと見てよい。
この３片の網片１３０（１）、１３０（２）、１３０（３）が縫い合わされることにより、第１の円弧１３１１（長さ３Ｗ）が一点に集中するような曲面に縫い上がる。この曲面が後述するように排出部１３０の左側面を形成する。
【００５３】
次に、網片１３０（４）から１３０（１２）の８片については、矩形型と三角形型の２種類の網片が交互に並べられている。矩形型の網片１３０は、幅Ｗ、長さＬの矩形のままの５片の網片１３０（網片１３０（４）、網片１３０（６）、網片１３０（８）、網片１３０（１０）、網片１３０（１２））である。三角形型の網片１３０は、上端が幅Ｗ、下端が１点、長さＬの三角形である４片の網片１３０（網片１３０（５）、網片１３０（７）、網片１３０（９）、網片１３０（１１））である。
【００５４】
これら網片１３０（４）から１３０（１２）の上端により、排出部の入口開口１３１の第２の円弧１３１２が形成されている。つまり第２の円弧１３１２の長さは８Ｗとなっている。
【００５５】
また、これら網片１３０（４）から１３０（１２）の下端により、出口開口１３３の円周１３３２が形成されている。つまり出口開口１３３の円周１３３２の長さは５Ｗとなっている。
この網片１３０（４）から１３０（１２）の８片を縫い合わせると、第２の円弧１３１２（長さ８Ｗ）が出口開口１３３の円周１３３２（長さ５Ｗ）になるような曲面に縫い上がる。この曲面が後述するように排出部１３０の右側面を形成する。
【００５６】
以上の網片１３０（１）から１３０（３）が縫い合わされた曲面を左側面とし、網片１３０（４）から１３０（１２）が縫い合わされた曲面を右側面として縫い合わせると、あたかも前者が牛の短角の内側面、後者が牛の短角の外側面のような形状になる。
【００５７】
次に、本発明のクラゲ抜き用排出部１３０の胴部と、従来のクラゲ抜き用排出部の胴部における、漁獲対象と非漁獲対象との分離能力について説明する。
図６は、本発明のクラゲ抜き用排出部１３０の胴部と、従来のクラゲ抜き用排出部の胴部における、漁獲対象と非漁獲対象との分離作業を行う面積を比較した図である。
【００５８】
図６（ａ）に示すように、本発明のクラゲ抜き用排出部１３０の胴部のうち、漁獲対象と非漁獲対象との分離作業を行う面積は、胴網１２０の後部の断面積全体に拡がっている。角度が浅く、漁獲対象も網体に沿って移動しやすく漁獲対象、非漁獲対象ともに通過しくにい箇所が右側の領域Ｓ１であり、角度が深く、漁獲対象は網体を通り抜けやすく、非漁獲対象のみが通過しにくく、両者を分離しやすい領域が領域Ｓ２となっている。この構成であれば、先にＳ１に到達してその後Ｓ２に移動するため、結局、胴網１２０の後部の断面積全体Ｓ１＋Ｓ２について効率的に漁獲対象と非漁獲対象を分離することができる。
【００５９】
一方、図６（ｂ）に示すように、従来のクラゲ抜き用排出部の胴部では、絞り込むすり鉢状の側面部分と、すり鉢の底面から出口へ導く通路部分がある。この絞り込むすり鉢状の側面部分は角度が深く、漁獲対象は網体を通り抜けやすく、非漁獲対象のみが通過しにくく、両者を分離しやすい領域が領域Ｓ３であり、すり鉢の底面から出口へ導く通路部分は角度が浅く、漁獲対象も網体に沿って移動しやすく漁獲対象、非漁獲対象ともに通過しくにい領域Ｓ４となっている。この構成であれば、先にＳ３に到達してその後Ｓ４に移動するため、結局、胴網１２０の後部の断面積全体について効率的に分離することができる箇所は領域Ｓ３の部分のみで、その後領域Ｓ４に到達するが、領域Ｓ４は漁獲対象も網体に沿って移動しやすく、そのまま出口から出てしまうおそれがある。そのため、結局、領域Ｓ３部分のみが効率的に分離することができる。
【００６０】
図６（ａ）と図６（ｂ）の比較により、本発明のクラゲ抜き用排出部１３０の排出部１３０の形状の方が従来の形状より、効率的に漁獲対象と非漁獲対象を分離することができる。
【００６１】
以上、本実施例１にかかる船びき網１００によれば、簡単な構造により、クラゲ等の非漁獲対象は効率的に排除するとともに、シラスやイカナゴ等の漁獲対象の漁獲漏れを防止せしめることができる。
【実施例２】
【００６２】
実施例２は、実施例１と同様の船びき魚網であるが、排出部において開閉構造を備えた構成例を示す。
【００６３】
図７は、実施例２にかかる船びき網１００ａのうち排出部１３０ａについて分かりやすく示した図である。
図７に示すように、実施例２にかかる船びき網１００ａでは、排出部１３０ａの出口１３３ａにおいて、その開口径を自在に調整できる開閉構造１３４ａを備えた構造となっている。開閉構造は特に限定されないが、ここではチャックのファスナー構造とし、外部からチャックのファスナーの金具を移動させることにより開閉構造１３４ａの径を変化させることができるものとなっている。
【００６４】
このように、排出部１３０ａの出口１３３ａに開閉構造１３４ａを備えることにより、漁場の状況に応じて排出部１３０ａの出口１３３ａの開閉径を調整することができる。出口１３３ａの径は、例えば２ｍとすると、開閉構造１３４ａを備えることにより出口１３３ａの径は、０ｃｍから２ｍまで自在に調整することができることとなる。例えば、漁場においてクラゲ等の非漁獲対象があまり存在しない状況の場合には排出部１３０ａの出口１３３ａを開放させておけば、漁獲対象であるシラスやイカナゴが少量であってもこの出口１３３ａから漁獲漏れを生じてしまうおそれがある。そこで、開閉構造１３４ａを閉鎖しておけば漁獲漏れを確実に防止することができる。
【００６５】
次に、海洋ゴミなど不要物が想定以上に大きい場合に用いる開閉部１３５ａについて述べる。
【００６６】
図７に示すように、実施例２にかかる船びき網１００ａでは、排出部１３０ａ排出部１３０ａの排出部胴部１３２ａの一部において、その最大径が排出部１３０ａの出口１３３ａの径よりも大きい開閉部１３５ａを備えた構成となっている。海洋ゴミなど不要物が想定以上に大きい場合、クラゲ抜き用排出部１３０ａの出口１３３ａから排出することが難しい場合もあり得る。そこで、クラゲ抜き用排出部１３０ａの出口１３３ａよりも大きな径が確保できるよう、排出部１３０ａの排出部胴部１３２ａの腹の一部において、その最大径が排出部１３０ａの出口１３３ａの径よりも大きい開閉部１３５ａを設ける。例えば、出口１３３ａの径が２ｍとすると、開閉部１３５ａは２ｍ５０ｃｍから３ｍ程度とする。
【００６７】
なお、開閉部１３５ａについても、その開口径を自在に調整できる第２の開閉構造１３６ａを備えた構造とすることが好ましい。第２の開閉構造１３６ａを備えることのより開閉部１３５ａの径の大きさを開閉して自在に調整することができる。
【００６８】
なお、出口１３３ａの開閉構造１３４ａと、開閉部１３５ａの第２の開閉構造１３６ａを連続して設けておけば、両者を同時に開くことにより一続き一体の大きな開口とすることも可能となる。
【００６９】
実施例２にかかる排出部１３０ａの開閉状態として、以下の４つのパターンがある。
第１のパターンは、出口１３３ａの開閉構造１３４ａ、開閉部１３５ａの第２の開閉構造１３６ａともに閉鎖するパターンである。例えば、操業海域にクラゲなどの異物が少ない状態であれば、この第１のパターンで操船すれば、漁獲対象のシラスやイカナゴはそのまま排出部１３０ａを後方に通過するのでシラスやイカナゴを漏らすことなく漁獲できる。また、側方の出口１３３ａは閉鎖しておいた方が誤ってシラスやイカナゴが側方から抜け出にくくなる。
【００７０】
第２のパターンは、出口１３３ａの開閉構造１３４ａは開放し、開閉部１３５ａの第２の開閉構造１３６ａは閉鎖するパターンである。例えば、操業海域にクラゲなどの異物が多い状態であれば、この第２のパターンで操船すれば、排出部１３０ａの出口１３３ａがクラゲ抜きとなり、クラゲなどの異物は側方から放逐され、漁獲対象のシラスやイカナゴは魚取り部１４０ａに導くことができ、両者を選別しながら漁獲できる。
【００７１】
第３のパターンは、出口１３３ａの開閉構造１３４ａ、開閉部１３５ａの第２の開閉構造１３６ａともに開放するパターンである。例えば、出口１３３ａから放逐できない大きな非漁獲対象動物および不要物が入り込んだ場合に、第２の開閉構造１３６ａを操作して開閉部１３５ａを開放すれば、非漁獲対象動物および不要物を開閉部１３５ａから後方へ引き出し、胴部１２０ａの出口開口部１２９ａまで導くことができる構造となっている。なお、胴網１２０と魚取り部１４０の接続部分において魚取り部１４０を切り離すことができるので、非漁獲対象動物および不要物を胴部１２０ａの出口開口部１２９ａまで導くことができれば、大きなものであっても船びき網１００ａから取り出すことができる。
【００７２】
第４のパターンは、出口１３３ａの開閉構造１３４ａは閉鎖し、開閉部１３５ａの第２の開閉構造１３６ａは開放するパターンである。このパターンは第１のパターンと同様であり、開閉部１３５ａが閉鎖されているか開放されているかの違いだけであり、例えば、操業海域にクラゲなどの異物が少ない状態であれば、この第４のパターンで操船しても漁獲対象のシラスやイカナゴはそのまま排出部１３０ａを後方に通過するのでシラスやイカナゴを漏らすことなく漁獲できる。
【００７３】
以上、本発明の船びき網の構成例における好ましい実施形態を図示して説明してきたが、本発明の技術的範囲を逸脱することなく種々の変更が可能であることは理解されるであろう。
【産業上の利用可能性】
【００７４】
本発明の船びき網は、シラス漁、イカナゴ漁の船びき網などに広く適用することができる。
【図面の簡単な説明】
【００７５】
【図１】実施例１にかかる本発明のシラス漁向けの船びき網を示す図（平面図）である。
【図２】実施例１にかかる本発明のシラス漁向けの船びき網を示す図（右側面図）である。
【図３】クラゲ抜き用排出部１３０の構造を詳しく示した図である。
【図４】排出部１３０の形状をさらに詳しく示した図である。
【図５】排出部１３０の形状をさらに分かりやすく平面に展開した展開図を示す図である。
【図６】本発明のクラゲ抜き用排出部１３０の胴部と、従来のクラゲ抜き用排出部の胴部における、漁獲対象と非漁獲対象との分離作業を行う面積を比較した図である。
【図７】実施例２にかかる船びき網１００ａのうち排出部１３０ａについて分かりやすく示した図である。
【図８】従来の船びき網漁法の操船の例を簡単に示している図である。
【符号の説明】
【００７６】
１００  船びき網
１１０  袖網部
１２０  胴網部分
１２１  胴部入口部
１２２  前部
１２３  中部
１２４  後部
１２５  側面潮抜き部
１２７  中吊り
１２９  胴部出口部
１３０  クラゲ抜き用排出部
１３１  排出部入口開口
１３２  排出部胴部
１３３  排出部出口開口
１３４  開閉構造
１３５  開閉部
１３６  第２の開閉構造
１４０  魚取り部
１４１  シャコ取り
１４２  魚取り
１４３  魚巻き
【図１】
2014079200.tif 000003
【図２】
2014079200.tif 000004
【図３】
2014079200.tif 000005
【図４】
2014079200.tif 000006
【図５】
2014079200.tif 000007
【図６】
2014079200.tif 000008
【図７】
2014079200.tif 000009
【図８】
2014079200.tif 000010